(57)【特許請求の範囲】
【請求項１】
カードを搬送して前記カードのカード情報を読み取る第１のカード案内溝を有するカードリーダ本体と、
可動カバーと、
を備え、
前記可動カバーは、
カード搬送方向に延在する軸を回動の中心軸として回動可能なように、前記第１のカード案内溝のカード搬送方向における端部が存在する前記カードリーダ本体の側面に取り付けられる回動部と、
前記回動部に固定的に取り付けられ、カードの搬送をサポートする第２のカード案内溝を有する案内部と、
前記回動部に取り付けられ、第１のカード案内溝を覆う形状を有し、前記回動の中心軸を基準に回動するカバー部と、
を備え、
前記第１のカード案内溝と前記第２のカード案内溝とが連続しない状態になる第１の位置と、前記第１のカード案内溝と前記第２のカード案内溝とが連続する状態になる第２の位置と、のいずれかの位置に移動可能であり、
前記可動カバーが第１の位置にある時、前記カバー部は前記第１のカード案内溝を覆う状態になり、前記可動カバーが第２の位置にある時、前記カバー部は前記第１のカード案内溝を覆わない状態になる、
カードリーダ。
【請求項２】
前記回動部は、
前記第１のカード案内溝のカード搬送方向における一端が存在する前記カードリーダ本体の第１の側面に取り付けられる第１の回動部と、前記第１のカード案内溝のカード搬送方向における他端が存在する前記カードリーダ本体の第２の側面に取り付けられる第２の回動部と、を備える、
請求項１に記載のカードリーダ。
【請求項３】
前記案内部は、
前記第１の回動部に取り付けられる第１の案内部と、前記第２の回動部に取り付けられる第２の案内部と、を有する
請求項２に記載のカードリーダ。
【請求項４】
前記回動部は、前記カバー部を前記回動部の前記回動の中心軸に対して垂直で遠くなる方向にスライド可能に取り付けるスライド溝をさらに有し、
前記カバー部は、前記カバー部の端部に形成され、前記スライド溝に挿入可能な凸部をさらに有し、
前記スライド溝に前記凸部が挿入された状態で、前記カバー部が前記スライド溝に沿ってスライド可能である、
請求項１から３のいずれか１項に記載のカードリーダ。
【請求項５】
前記カバー部は、
前記回動部に取り付けられる第１の辺と、
前記第１の辺に略直交する方向であって、前記第１の位置において前記第１のカード案内溝を覆う第２の辺と、を有する
請求項１から４のいずれか１項に記載のカードリーダ。
【発明の詳細な説明】
【技術分野】
【０００１】
本発明はカードリーダに関する。
【背景技術】
【０００２】
磁気カードに記録されたカード情報を読み取り、携帯端末、決済端末、ＰＯＳ（Point Of Sales）端末等の他の装置との間で情報の入出力を行うために、磁気ヘッドを備えたカードリーダが用いられる。カードリーダの読み取り方法が手動式の場合、使用者は、カードを搬送する案内溝へカードの情報が記録された部分を挿入し、案内溝に沿ってカードをスライドさせて搬送する操作を行う。この際、カードの蛇行や傾きによる読み取りエラーを防ぐために、カードの搬送状態は一定の方向と角度を保つ必要がある。
【０００３】
しかし、このようなカードリーダに対しては小型化が望まれるため、カードリーダ本体に十分なカードの搬送距離を備えることが困難である。そのため、カードリーダ本体に案内溝を延長するための部材を設けてカードの搬送距離を確保し、カードの読み取り精度を向上する方法が用いられる。さらに、カードリーダ本体には、防塵及び防滴を目的としたカバーが設けられる場合がある。
【０００４】
特許文献１には、カードの情報が記録された端部を通す第１のカード案内溝を有すると共に、該第１のカード案内溝を通るカードの情報を読み取る読取り部（磁気ヘッド）を有するカードリーダ本体と、カードの端部を案内する第２のカード案内溝を有するカード案内部材を具備し、カードリーダ本体にカード案内部材を、その第２のカード案内溝が第１のカード案内溝に連続するように装着したカードリーダが開示されている。
【先行技術文献】
【特許文献】
【０００５】
【特許文献１】特開２００３−２１６８９６号公報
【発明の概要】
【発明が解決しようとする課題】
【０００６】
しかしながら、特許文献１に記載のカードリーダでは、カード案内部材がカードリーダ本体に重ねて収納された不使用時の状態から、カードの搬送をサポートする使用時の状態に展開される。この展開の際には、カードリーダ周辺にカード案内部材が移動するための十分なスペースを確保する必要がある。その結果、カードリーダの設置スペースが大きくなるという問題があった。
【０００７】
本発明は、このような問題を解決するためになされたものであり、設置スペースの低減を図ることができるカードリーダを提供することを目的とする。
【課題を解決するための手段】
【０００８】
一実施形態にかかるカードリーダは、カードを搬送してカードのカード情報を読み取る第１のカード案内溝を有するカードリーダ本体と、可動カバーと、を備え、可動カバーは、カード搬送方向に延在する軸を回動の中心軸として回動可能なように、第１のカード案内溝のカード搬送方向における端部が存在するカードリーダ本体の側面に取り付けられる回動部と、回動部に固定的に取り付けられ、カードの搬送をサポートする第２のカード案内溝を有する案内部と、回動部に取り付けられ、第１のカード案内溝を覆う形状を有し、回動の中心軸を基準に回動するカバー部と、を備え、第１のカード案内溝と第２のカード案内溝とが連続しない状態になる第１の位置と、第１のカード案内溝と第２のカード案内溝とが連続する状態になる第２の位置と、のいずれかの位置に移動可能であり、可動カバーが第１の位置にある時、カバー部は第１のカード案内溝を覆う状態になり、可動カバーが第２の位置にある時、カバー部は第１のカード案内溝を覆わない状態になる。
【発明の効果】
【０００９】
本発明により、設置スペースの低減を図ることができるカードリーダを提供することができる。
【図面の簡単な説明】
【００１０】
【図１】実施の形態１にかかるカードリーダ付き端末の不使用時及び使用時における斜視図である。
【図２】実施の形態１にかかる可動カバーの分解斜視図である。
【図３】実施の形態１にかかる可動カバーの展開時の態様を例示した図である。
【図４】図３の側面図である。
【図５】実施の形態１にかかるカードリーダにおけるカード読み取り時の状態を示す図である。
【図６】実施の形態２にかかるカードリーダ付き端末の使用時における上面図である。
【発明を実施するための形態】
【００１１】
実施の形態１
以下、図面を参照して本発明の実施の形態について説明する。ただし、本発明が以下の実施の形態に限定される訳ではない。また、説明を明確にするため、以下の記載及び図面は、適宜、簡略化されている。なお、図面において、ＸＹＺの３方向は互いに直交する方向である。以下の説明では、カード搬送方向（第１のカード案内溝の長手方向）をＸ方向とし、Ｘ方向に直交する方向であって第１のカード案内溝の幅方向をＹ方向とし、Ｘ方向及びＹ方向に対して直交する方向であって第１のカード案内溝の深さ方向をＺ方向とする。
【００１２】
図１及び図２を参照して、実施の形態１にかかるカードリーダの構成について説明する。図１は、実施の形態１にかかるカードリーダ付き端末の不使用時及び使用時における斜視図である。カードリーダ付き端末は、携帯型の端末であってもよいし、据置型の端末であってもよい。図１（ａ）には、カードリーダ不使用時の状態を示す。図１（ｂ）にはカードリーダ使用時の状態を示す。
【００１３】
まず、カードリーダ付き端末の構成について説明する。図１に示すカードリーダ付き端末１は、端末本体１００と、カードリーダ２００と、により構成される。端末本体１００は、ＣＰＵ（Central Processing Unit）等の電子部品を搭載した基板等を内蔵する筐体である。また、端末本体１００の外面には、操作画面１０２と、操作ボタン（不図示）等を具備する操作部１０１と、を有する。
【００１４】
カードリーダ２００は、例えば、磁気カードの磁気ストライプから、手動式でデータを読み取る。カードリーダ２００は、端末本体１００と連続するように構成されている。カードリーダは、カードリーダ本体２１０と、可動カバー２２０と、を有する。図１（ｂ）に示すように、カードリーダ本体２１０は、Ｘ方向に延在する第１のカード案内溝２１１と磁気ヘッド（不図示）を有する筐体である。第１のカード案内溝２１１は、カードを挿入してスライドさせるためのスリットであり、カードの搬送の際にこれをサポートする。カードが第１のカード案内溝２１１の中を走行すると、磁気ヘッドによって、カードのカード情報を格納した磁気ストライプから、カード情報の読み取りを行うことができる。
【００１５】
可動カバー２２０は、回動部２２１ａ、２２１ｂと、案内部２２２と、カバー部２２３と、を有する。そこで、図２を参照して、可動カバー２２０の構成について説明する。図２は、実施の形態１にかかる可動カバーの分解斜視図である。図２に示す可動カバー２２０は、第１の回動部２２１ａと、第２の回動部２２１ｂと、案内部２２２と、カバー部２２３と、を有する。
【００１６】
第１の回動部２２１ａ及び第２の回動部２２１ｂは、それぞれが、基部２２１ｃと、回動軸２２１ｄと、スライド溝２２１ｅと、から構成される。第１の回動部２２１ａは、前記構成に加えて、案内部２２２が固定的に取り付けられている。基部２２１ｃは、回動部２２１ａ、２２１ｂを構成する部品を支持するもので、本実施例では略五角形状を有する。回動軸２２１ｄは、基部２２１ｃの一方の側面からＸ方向に突出するように設けられた軸である。回動軸２２１ｄは、カードリーダ本体２１０の筐体側面に形成された軸孔に軸支されるものである。スライド溝２２１ｅは、図２のように配置された状態において、基部２２１ｃの回動軸２２１ｄが設けられた側面と反対側の側面に、Ｚ方向に延びる略長方形状に形成された溝であり、Ｘ方向に開口している。第１の回動部２２１ａ及び第２の回動部２２１ｂは、それぞれの回動軸２２１ｄの先端が対向するようにカードリーダ本体２１０を挟んで対称的に配置される。
【００１７】
また、第１の回動部２２１ａには、案内部２２２が固定的に取り付けられている。案内部２２２は、第２のカード案内溝２２２ｃと、取付部２２２ｄと、を有する。第２のカード案内溝２２２ｃは、カードを挿入してスライドさせるためのスリットであり、カードの搬送の際にこれをサポートする。図２のように配置された状態において、第２のカード案内溝２２２ｃは、Ｚ方向を基準としてＹ方向に、例えば８０度の角度をなす方向に開口している。取付部２２２ｄは、案内部２２２と第１の回動部２２１ａとを接続して固定するものである。図２のように配置された状態において、取付部２２２ｄは、スライド溝２２１ｅが形成された面の下端部分に支持される。これにより、案内部２２２は、図中において基部２２１ｃの下面側に固定される。そして、案内部２２２は、第１の回動部２２１ａがカードリーダ本体２１０に軸支されて回動する時に、第１の回動部２２１ａの回動を妨げないように配置される必要がある。
【００１８】
カバー部２２３は、第１の辺２２３ａと、第２の辺２２３ｂと、を有する。カバー部２２３は、例えばコの字形状である。第１の辺２２３ａは、Ｚ方向に延びる略長方形状を有する面である。第２の辺２２３ｂは、第１の辺２２３ａに略直交する方向に、第１の辺２２３ａの端部（図中において上端）からＸ方向に延びる略長方形状を有する面である。また、図中において、カバー部２２３の端部である第１の辺２２３ａの内面の下端には、スライド溝２２１ｅに挿入可能なＸ方向に突出する凸部２２３ｃが形成されている。凸部２２３ｃは、スライド溝２２１ｅ内をＺ方向に移動できるように、スライド溝２２１ｅよりも小さい形状である。
【００１９】
図１に示すカードリーダ本体２１０の筐体側面には軸孔（不図示）が形成されている。筐体側面とは、第１のカード案内溝２１１のＸ方向における端部が存在するカードリーダ本体２１０の両側面を意味する。当該両側面のうち、第１のカード案内溝２１１の一端が存在し、図面において右側にある側面を第１の側面とし、第１のカード案内溝２１１の他端が存在し、図面において左側にある側面を第２の側面とする。図１に示すように、当該軸孔へ回動軸２２１ｄを挿入することにより、カードリーダ本体２１０に可動カバー２２０を取り付けることができる。なお、カードリーダ本体２１０の両側面の軸孔の中心は、Ｘ方向において一致している。
【００２０】
可動カバー２２０のカードリーダ本体２１０への取り付けは、以下のようにして行う。まず、第１の回動部２２１ａ及び第２の回動部２２１ｂを、カードリーダ本体２１０の両側面の軸孔へ、それぞれの回動軸２２１ｄを挿入して取り付ける。その後、カバー部２２３の２つの第１の辺２２３ａを、それぞれ外側方向に押し広げて、それぞれの凸部２２３ｃを、第１の回動部２２１ａ及び第２の回動部２２１ｂのスライド溝２２１ｅに挿入した後、元に戻す。このようにして、可動カバー２２０をカードリーダ本体２１０への取り付けることができる。なお、カバー部２２３は、例えば合成樹脂のような可撓性を有する材料により構成される。凸部２２３ｃがスライド溝２２１ｅに挿入された状態で、凸部２２３ｃがスライド溝２２１ｅに沿ってＺ方向に移動することにより、カバー部２２３は第１の回動部２２１ａ及び第２の回動部２２１ｂに対してスライドする。
【００２１】
本実施例では、第１の回動部２２１ａが有する回動軸２２１ｄを第１の側面に取り付け、第２の回動部２２１ｂが有する回動軸２２１ｄを第２の側面に取り付ける。可動カバー２２０は、カードリーダ本体２１０に取り付けられた状態で、回動軸２２１ｄを回動の中心軸として回動可能である。つまり、カード搬送方向（Ｘ方向）に延在する軸を回動の中心軸として回動可能である。
【００２２】
そのため、可動カバー２２０は、図１（ａ）に示すカードリーダ不使用時の状態になる第１の位置と、図１（ｂ）に示すカードリーダ使用時の状態になる第２の位置と、のいずれかの位置に回動することにより移動可能である。
【００２３】
ここで、カードリーダ不使用時の状態とは、図１（ａ）に示すように、カードリーダ２００は、第１のカード案内溝２１１と第２のカード案内溝２２２ｃとが連続しない状態になるとともに、カバー部２２３が第１のカード案内溝２１１を覆う状態を意味する。すなわち、可動カバー２２０が第１の位置にある時、第２のカード案内溝２２２ｃは、Ｚ方向を基準としてＹ方向に８０度の角度をなす方向に開口する。
【００２４】
一方、カードリーダ使用時の状態とは、図１（ｂ）に示すように、カードリーダ２００は、第１のカード案内溝２１１と第２のカード案内溝２２２ｃとが連続する状態になるとともに、カバー部２２３が展開して第１のカード案内溝２１１を覆わない状態を意味する。すなわち、可動カバー２２０が第２の位置にある時、第２のカード案内溝２２２ｃは、第１のカード案内溝２１１と同じ方向のＺ方向に開口するとともに、第１のカード案内溝２１１が露出する。
【００２５】
次に、図３及び図４を参照して、可動カバー２２０の展開時のスライドを伴う回動について説明する。図３は、実施の形態１にかかる可動カバーの展開時の態様について例示した図である。図４は、図３の側面図である。図３（ａ）及び（ｃ）並びに図４（ａ）及び（ｃ）は、それぞれ図１（ａ）及び（ｂ）に示したカードリーダ２００の状態と同様の図である。
【００２６】
可動カバー２２０は、図３（ａ）及び図４（ａ）に示すカードリーダ不使用時の状態である第１の位置から引き上げられると、凸部２２３ｃがスライド溝２２１ｅに沿って移動する。これにより、カバー部２２３がカードリーダ本体２１０から離れるＺ方向に引き上げられる。図３（ｂ）及び図４（ｂ）は、カバー部２２３を引き上げた時のカードリーダ２００の状態を示す。そして、可動カバー２２０は、図３（ｂ）及び図４（ｂ）の状態から、回動軸２２１ｄを回動の中心軸として回動し、図３（ｃ）及び図４（ｃ）に示すカードリーダ使用時の状態になる第２の位置に移動する。
【００２７】
可動カバー２２０を引き上げると、カバー部２２３とカードリーダ本体２１０とが干渉することなく、可動カバー２２０がスムーズに回動することができる。また、可動カバー２２０は回動するため、カバー部２２３は、回動部の回動の中心軸に対して垂直で遠くなる方向にスライド可能である。このようなカバー部２２３のスライドを伴う回動により、カードリーダ不使用時において、可動カバー２２０をコンパクトに収納できる。
【００２８】
本実施形態では、図４（ａ）に示すカードリーダ不使用時の状態において、第２のカード案内溝２２２ｃは、Ｚ方向を基準としてＹ方向に８０度の角度をなす方向に開口するように配置されている。そして、カードリーダは、図４（ｂ）に示す状態を経て、図中において、可動カバー２２０を、回動部の回動軸を中心軸として右方向に８０度回動すると、図４（ｃ）に示すように、第２のカード案内溝２２２ｃがＺ方向に開口し、第１のカード案内溝２１１と第２のカード案内溝２２２ｃとが連続するように配置される。
【００２９】
ここで、可動カバー２２０の回動を所定の角度で停止するために、カードリーダ本体２１０の筐体側面に、図４に示すような回動規制部２１２を設けることが考えられる。回動規制部２１２は、当該筐体側面の両側に設けられる。回動規制部２１２は、可動カバー２２０が第２の位置に配置されるように、所定の角度を回動した場合に、基部の当接面２２１ｓが回動規制部の当接面２１２ｓに当接することにより、可動カバー２２０の回動を止める突起である。したがって、図４（ａ）に示すカードリーダ不使用時において、基部の当接面２２１ｓ及び回動規制部の当接面２１２ｓは８０度の角度をなすように、基部２２１ｃ及び回動規制部２１２が配置される。
【００３０】
なお、このような可動カバー２２０の位置決めの方法は、可動カバー２２０の回動を所定の角度で止めることができる構成であればこれに限らない。さらに、可動カバー２２０が回動する所定の角度は、任意の角度を用いることができ、例えば８０度前後の角度であってもよく、９０度であってもよい。カードリーダ不使用時には、カバー部２２３が第１のカード案内溝２１１を覆い、カードリーダ使用時には、カードの搬送を妨げないように、各部品が配置されればよい。また、各部品は回動角度に応じた形状のものを用いればよい。
【００３１】
続いて、図５を参照して、カードリーダ使用時におけるカードの読み取り操作について説明する。図５は、実施の形態１にかかるカードリーダにおけるカード読み取り時の状態を示す図である。本実施形態では、図５に示すように、磁気ストライプＣ１を有するカードＣの読み取り操作を例として説明する。また、図５に示すカードリーダ２００は、可動カバー２２０が第２の位置にあるカードリーダ使用時の状態である。
【００３２】
図５（ａ）は、カード読み取り操作の前半部分を示す。図５（ａ）に示すように、カード読み取りの開始時には、カードＣが図中の左側から第１の案内溝に挿入された後、カードＣは第１のカード案内溝２１１によりガイドされた状態で、第２の案内溝に向かって（図中の右方向）にＺ方向に搬送される。カードＣの搬送が進むと、磁気ストライプＣ１がカードリーダ本体２１０に搭載された磁気ヘッドを通過するため、カードリーダ２００はカード情報を読み取ることができる。
【００３３】
図５（ｂ）は、カード読み取り操作の後半部分を示す。図５（ｂ）に示すように、カードＣは第２のカード案内溝２２２ｃに進入し、第１のカード案内溝２１１及び第２のカード案内溝２２２ｃによりガイドされる。その後、カードＣはカードリーダ２００から排出され、カードＣの搬送が終了する。カードＣの搬送中、カードＣは、第１の案内溝と第２の案内溝の少なくとも一方によりガイドされた状態を維持することができる。そのため、カード読み取り時におけるカードＣの蛇行や傾きを防ぎ、カードＣの読み取りエラーを抑制することができる。
【００３４】
以上、実施の形態１にかかるカードリーダ２００によれば、カードリーダ不使用時には、可動カバー２２０が第１のカード案内溝２１１を覆うとともに、案内部２２２を収納できるため、カード情報を読み取る部分（磁気ヘッド）の防塵及び防滴が可能である。さらに、カードリーダ使用時には、第１のカード案内溝２１１と第２のカード案内溝２２２ｃとが連続することにより、カード搬送路長を延長することができ、カードＣの読み取りエラーを抑制することができる。この時、可動カバー２２０は展開された状態にあるため、カードの搬送を妨げることはない。
【００３５】
さらにまた、実施の形態１にかかるカードリーダ２００によれば、可動カバー２２０がカードリーダ本体２１０に対して回動軸２２１ｄを回動の中心軸として回動可能に取り付けられているため、可動カバー２２０の展開及び収納に伴う移動範囲を縮小することができる。また、カバー部２２３がスライドすることができるため、よりコンパクトに収納できる。よって、カードリーダ２００を設置するスペースの低減を図ることができる。
【００３６】
実施の形態２
実施の形態２について、実施の形態１との相違点を中心に説明するが、本実施形態にかかるカードリーダは、実施の形態１にかかるカードリーダ２００と備えられた案内部２２２の数を除き同様である。図６を参照して、実施の形態２にかかるカードリーダについて説明する。
【００３７】
図６は、実施の形態２にかかるカードリーダ２００を備えたカードリーダ付き端末１の使用時における上面図である。図６に示すカードリーダ付き端末１は、端末本体１００と、カードリーダ２００と、を有する。端末本体１００の構成は実施の形態１と同様である。実施の形態２にかかるカードリーダ２００は、実施の形態１にかかるカードリーダ２００の構成に、さらに案内部を追加し、可動カバー２２０に対して２つの案内部を備える点で異なるものである。したがって、可動カバー２２０は、第１の回動部２２１ａと、第２の回動部２２１ｂと、第１の案内部２２２ａと、第２の案内部２２２ｂと、カバー部２２３とを有する。第１の案内部２２２ａは、第１の回動部２２１ａに固定的に取り付けられている。第２の案内部２２２ｂは第２の回動部２２１ｂに固定的に取り付けられている。第１の案内部２２２ａ及び第２の案内部２２２ｂは、対称的に配置され、それぞれが第１の回動部２２１ａと第２の回動部２２１ｂとに取り付けられている。
【００３８】
カードリーダ本体２１０に備えられた可動カバー２２０は、実施の形態１にかかる可動カバー２２０と同様に、展開時、スライドを伴う回動を行うことができる。すなわち、可動カバー２２０がカードリーダ不使用時の第１の位置にある場合には、カードリーダ２００は、第１のカード案内溝２１１と第２のカード案内溝２２２ｃとが連続しない状態になるとともに、カバー部２２３が第１のカード案内溝２１１を覆う状態になる。可動カバー２２０がカードリーダ使用時の第２の位置にある場合には、カードリーダ２００は、第１のカード案内溝２１１と第２のカード案内溝２２２ｃとが連続する状態となるとともに、カバー部２２３が展開されて第１のカード案内溝２１１を覆わない状態になる。そして、可動カバー２２０は、回動軸２２１ｄを回動の中心軸として、第１の位置と第２の位置とのいずれかの位置に回動することにより移動可能である。さらに、カバー部２２３は、回動部の回動の中心軸に対して垂直で遠くなる方向にスライド可能である。
【００３９】
以上、実施の形態２にかかるカードリーダ２００によれば、実施の形態１で説明した効果と同様の効果を奏するとともに、カードリーダ本体２１０に２つの案内部２２２ａ、２２２ｂを備えることにより、カードＣの搬送をさらに安定して行うことができる。よって、カードＣの読み取りエラーの抑制効果が高い。
【００４０】
なお、本発明は上記実施の形態に限られたものではなく、趣旨を逸脱しない範囲で適宜変更することが可能である。上述した実施の形態では、カードリーダ２００はカードリーダ付き端末１に搭載されるものとして説明したが、例えば、端末と接続するなどして、カードリーダ２００を単体で用いてもよい。また、上述した実施の形態では、磁気カードを読み取る磁気カードリーダを例に説明したが、磁気カードリーダに限らず、ＩＣカード等を読み取るカードリーダにも適用できる。
【００４１】
また、上述した実施の形態では、カバー部２２３がコの字形状であるものを例に説明したが、カバー部２２３の形状はコの字形状に限らず、L字形状等であってもよい。カバー部２２３は、カード情報を読み取る部分の防塵及び防滴が可能であって、カードリーダ使用時にカードＣの読み取りを妨げるものでなければ形状は限定されない。さらに、回動部を第１の回動部２２１ａのみとする等、各構成部品を適宜増減してもよい。
【符号の説明】
【００４２】
１  カードリーダ付き端末
１００  端末本体
１０１  操作部
１０２  操作画面
２００  カードリーダ
２１０  カードリーダ本体
２１１  第１のカード案内溝
２１２  回動規制部
２１２ｓ  回動規制部の当接面
２２０  可動カバー
２２１ａ  第１の回動部
２２１ｂ  第２の回動部
２２１ｃ  基部
２２１ｄ  回動軸
２２１ｅ  スライド溝
２２１ｓ  基部の当接面
２２２  案内部
２２２ａ  第１の案内部
２２２ｂ  第２の案内部
２２２ｃ  第２のカード案内溝
２２２ｄ  取付部
２２３  カバー部
２２３ａ  第１の辺
２２３ｂ  第２の辺
２２３ｃ  凸部
Ｃ  カード
Ｃ１  磁気ストライプ
【要約】
【課題】設置スペースの低減を図ることができるカードリーダを提供すること。
【解決手段】カードリーダ２００は、カードリーダ本体２１０と、可動カバー２２０と、を備える。可動カバー２２０は、カード搬送方向に延在する軸を回動の中心軸として回動可能なように、カードリーダ本体２１０に取り付けられる回動部と、第２のカード案内溝２２２ｃを有する案内部と、カバー部２２３と、を備える。可動カバー２２０は、第１のカード案内溝２１１と第２のカード案内溝２２２ｃとが連続しない状態になる第１の位置と、第１のカード案内溝２１１と第２のカード案内溝２２２ｃとが連続する状態になる第２の位置と、のいずれかの位置に移動可能であり、可動カバー２２０が第１の位置にある時、カバー部２２３は第１のカード案内溝２１１を覆う状態になり、可動カバー２２０が第２の位置にある時、カバー部２２３は第１のカード案内溝２１１を覆わない状態になる。
【選択図】図３【図１】
0006923263.tif 000002
【図２】
0006923263.tif 000003
【図３】
0006923263.tif 000004
【図４】
0006923263.tif 000005
【図５】
0006923263.tif 000006
【図６】
0006923263.tif 000007